(57)【特許請求の範囲】
【請求項１】
電気設備のための封止体であって、当該封止体は、矩形の底部（１）と、当該底部（１）のドア開口部（１１）に固定されたヒンジ式のドア（１３）と、を備え、
底部（１）は、底壁（１０）と、当該底壁から上方へ延在する側壁（３−６）と、を備え、ドア（１３）は、ドア開口部（１１）を覆う閉位置から、ドア開口部（１１）を開口させる開位置へと回転可能であって、
ドア（１３）は、ドアフレーム（１２）によって、脱着可能に底部（１）に固定されていて、
封止体は、底部（１）に固定されてドアフレーム（１２）およびドア（３）を覆うカバー（２）を備えていて、
以下のことを特徴とする、すなわち、
ドアフレーム（１２）は、底部（１）の少なくとも２つのデタント（２３、２４）に脱着可能に固定される少なくとも２つのクイック解放手段（２０、２１）を備えていて、その結果、クイック解放手段（２０、２１）がロック位置にあるとき、ドアフレーム（１２）は、デタント（２３、２４）および底部（１）にロックされ、クイック解放手段（２０、２１）が開けられデタント（２３、２４）から解放されたとき、ドアフレーム（１２）は、底部（１）から離れることが可能であり、
上記ドアフレーム（１２）の２つの対向する端部（１７、１９）が、上記クイック解放手段（２０、２１）を備えていて、それによって、底部（１）の２つの対向する側壁（４、６）の底部内部（１１）を向く内面が、上記デタント（２３、２４）を備えることとなり、
上記クイック解放手段（２０、２１）は、柔軟に構成されたロック舌部（２０ａ、２１ａ）を備え、上記デタント（２３、２４）は、底部内部（１１）の内面であって、底部の側壁（４、６）の内面上に形成されていて、
上記ロック舌部（２０ａ、２１ａ）は、ドアフレーム（１２）が底部の底壁（１０）に向かって移動させることで底部（１）に装着されているときに、第１の力を受けて、歪み湾曲するように配置されるとともに、ドアフレーム（１２）が底部（１）に装着されたとき、ロック舌部（２０ａ、２１ａ）は、デタント（２３、２４）の位置に来て、歪みが無くなり、あるいは、第１の力よりも小さい第２の力がロック舌部（２０ａ、２１ａ）に作用し、これに対応して、ロック舌部の歪みおよび湾曲が、ドアフレームが底部の底壁に向かって移動している時におけるそれらよりも小さくなり、
上記ドアフレーム（１２）がドア開口（１１）を覆い、その結果、ロック舌部のロック位置を開けるためにロック舌部（２０ａ、２１ａ）へアクセスするには、ドア（１３）を開けることが必要となり、その結果、ドアが開けられると、ロック舌部の第１面（２５）に外力を作用させるべく当該第１面にアクセスすることが可能となり、その結果、ロック舌部が撓んで、底部のデタント（２３、２４）から解放され、それによって、ドアフレーム（１２）は、底部（１）から持ち上げられることを特徴とする、封止体。
【請求項２】
上記ドア（１３）は、ドアフレーム（１２）にヒンジ（１４）で連結されていることを特徴とする、請求項１記載の封止体。
【請求項３】
上記ドア（１３）は閉止具（１５）を備えており、当該閉止具（１５）は、ドアフレーム（１２）のストッパ（２７）に対してドアを固定する閉止要素（２８）を備えており、当該ストッパは、ドアのヒンジ連結位置に対向するドアフレーム端部に配置されていることを特徴とする、請求項２記載の封止体。
【請求項４】
上記ドアフレーム（１２）の２つの対向する端部（１７、１９）は、ともに、２つのクイック解放手段（２０、２１）を備えており、それによって、底部（１）の対向する２つの側壁（４、６）の内面それぞれに２つのデタント（２３、２４）が存在していることを特徴とする、請求項１〜３のいずれか１つに記載の封止体。
【請求項５】
上記ドアフレーム（１２）上のクイック解放手段（２０、２１）は、当該ドアフレームとワンピースのものとして形成されていることを特徴とする、請求項１〜４のいずれか１つに記載の封止体。
【請求項６】
上記カバー（２）は、ヒンジ（２６）によって、底部（１）にヒンジ連結されていることを特徴とする、請求項１記載の封止体。
【請求項７】
上記ヒンジ（２６）は、底部（１）の側壁（５）の上端（７）に固定されていて、当該側壁（５）は、底部の他の２つの側壁（４、６）に連接していることを特徴とする、請求項６記載の封止体。
【請求項８】
上記ドアフレーム（１２）を包囲するシール（２９）が、カバー（１３）と底部（１）の間に存在して、ドアフレーム（１２）およびドア（１３）を外気からシールしていることを特徴とする、請求項６または７記載の封止体。
【請求項９】
上記底部のコーナ（３０−３３）において、ドアフレーム（１２）の４つのコーナが支持部材（３４−３７）で支持されるよう構成されており、底部（１）の底壁（１０）からの距離である支持部材による高さ方向の支持点が、封止体内でのドアフレームの高さを定めていることを特徴とする、請求項１〜８のいずれか１つに記載の封止体。
【発明の詳細な説明】
【背景技術】
【０００１】
本発明は、電気設備のための封止体に関する。本発明の封止体は、矩形の底部と、当該底部のドア開口部に固定されたヒンジ式のドアとを備える。底部は、底壁と、当該底壁から上方へ延在する側壁とを備える。ドアは、ドア開口部を覆う閉位置から、ドア開口部を開口させる開位置へと回転可能である。
【０００２】
言及したタイプの封止体は、極めて一般的なものである。そのような封止体に係る問題点は、底部へのドアの固定が困難で、時間がかかるということである。さらに、固定を行うには、工具および固定手段（例えば、簡単に置き忘れてしまうネジ等）を使用することが必要となる。設置に係わる問題点は、封止体の使用現場においてのみドアを底部に装着することが必要である場合に顕著となる。困難な状況は、使用現場で克服することが可能であって、０°以下の温度下で設置を行わなければならない。
【発明の概要】
【０００３】
本発明の目的は、電気設備のための封止体を創造することである。本発明の封止体のドアは、使用現場においてでも、もっとも単純に封止体の底部に固定することができる。ドアを装着する際に、工具を使用する必要は無い。
【０００４】
本発明の目的は、次のことを特徴とする封止体によって達成される。
すなわち、ドアは、ドアフレームによって、脱着可能に底部に固定されている。ドアフレームは、底部の少なくとも２つのデタントに脱着可能に固定される少なくとも２つのクイック解放手段を備えていて、その結果、クイック解放手段がロック位置にあるとき、ドアフレームは、デタントにおいて底部にロックされ、クイック解放手段が開けられデタントから解放されたとき、ドアフレームは、底部から離れる。また、封止体は、底部（１）に固定されて、ドアフレームおよびドアを覆うカバーを備える。
【０００５】
本発明に潜む本質的なアイデアは、ドアを固定するために、底部に固定されるドアフレームを利用することである。ドアフレームは、クイック解放手段によって底部内の所定位置に配置される。
【０００６】
ドアフレームの２つの対向する端部が、クイック解放手段を備えていることが有利である。それによって、底部の２つの対向する側壁の底部内部を向く内面が、上記デタントを備えることとなる。内面上に形成されるこのデタントによって、封止体側壁の外面が平滑でスマートなものとなる。
【０００７】
ドアフレームの端部に配置されたクイック解放手段は、柔軟に構成されたロック舌部を備えていることが有利である。それによって、デタントは、底部内部の内面であって、底部の側壁の内面上に形成されることとなる。そのようなロック舌部は、単にドアフレームをドアフレームに向けて押して、ロック舌部を凹部内の所定位置にスナップ係合させることによって、凹部内にロックすることが容易である。
【０００８】
封止体のドアは、シールされていることが有利である。シールされることによって、湿気が封止体内部に侵入することが防止される。
【０００９】
本発明の好ましい実施形態は、添付の従属請求項に記載している。
【００１０】
本発明の封止体による最も大きな利点は、そのドアを底部に簡単かつ迅速に固定でき、そして必要な場合には、底部から取り外せることである。カバーを設けているので、封止体内部だけでなくドアも、外気から保護される。
【図面の簡単な説明】
【００１１】
【図１】本発明の封止体の概略図。
【図２】図１の封止体の底部を真上から見た図。
【図３】封止体のドアフレーム−ドア組立体を示す図。
【図４】図２に示した底部の詳細を示す図。
【図５】図３のドアフレーム−ドア組立体を上斜め方向（前方）から見た斜視図。
【図６】図３のドアフレーム−ドア組立体を下斜め方向（後方）から見た斜視図。
【発明を実施するための形態】
【００１２】
図１に示した電気設備のための封止体は、底部１と、この底部１に固定されたカバー２とを備える。底部１は、底壁（図２中の底壁１０）から上方へ延在する４つの側壁を備える。図１は、底部１の側壁３、６を示しており、図２は、それらに加えて、底部１の側壁４、５を示している。カバー２は、底部１に対して、すなわち左側壁の上端（図２中の上端７）に設けた固定具８ａに対して、ヒンジ結合されている。ヒンジ２６（それによって、カバー２が底部１に対してヒンジ結合される）は、図１中に破線で示している。
カバー２はロック手段９を備えており、これによって、封止体の底部１にカバーをロックすることができる。図１に示した閉位置（そこでは、カバーが底部１を覆っている）から、カバー２は、開位置まで回転し、これによって、カバーの下に位置するドアフレーム１２およびドア１３が見えるようになる。
図３は、封止体のドアフレーム−ドア組立体を示している。ドアフレーム−ドア組立体は、ドアフレーム１２と、そこにヒンジ結合されたドア１３とを備える。ドア１３のヒンジ結合およびその位置は、参照数字１４で示している。参照数字１５は、ドアをフレーム１２にロックするための閉止具を示している。
【００１３】
図３に示したように、ドアフレーム１２の対向する両端１７、１９のそれぞれに、２つのクイック解放手段２０、２１が設けられている。クイック解放手段２０、２１の目的は、底部１に対してドアフレーム１２を脱着可能にロックすることである。クイック解放手段２０、２１がロック位置にあるとき、ドアフレーム１２は、底部１に対してロックされる。クイック解放手段２０、２１は、柔軟に構成されたロック舌部２０ａ、２１ａを備える。
底部１の側壁４は、ロック舌部２０ａを受け入れるデタント（detent）２３を備え、底部１の側壁６は、ロック舌部２１ａを受け入れるデタント（detent）２４を備える。デタント２３、２４は、底部１の対向する側壁４、６の内面に形成されたカラーである（図４参照）。側壁４上には、２つのデタントが存在する（図２参照）。対応して２つのデタント２４が側壁６上に存在する（図２参照）。デタント２３、２４は、側壁４、６の内面に段部（step）を作ることで構成されてもよく、それは、実質的に側壁と同じ長さのものである。別例として、複数の短い段部を作ってもよい。
【００１４】
ロック舌部２０ａ、２１ａは、図３よりも図５に、より良く示されている。ロック舌部２０ａ、２１ａは柔軟であり、それ故、その第１面２５ａ、２５ｂに外力（例えば、外力Ｆ）が作用した場合に湾曲する。ドアフレーム１２は、ドアの開口１１と同じ寸法に構成されている。ロック舌部２０ａ、２１ａは、ドアフレーム１２の外側リムよりも僅かに外側に位置している（図３参照）。その結果、ロック舌部２０ａ、２１ａの第１面（例えば、ロック舌部２０ａの面２５ａ、ロック舌部２１ａの面２５ｂ（図３））は、ドアフレーム１２が底部１上の所定位置に設置されたときに、底部１の内壁４、５に当たる。
ドアフレーム１２を底壁１０に向かって下方へ移動させるとき、内壁の内面がロック舌部２０ａ、２１ａを押圧し、その結果、外力Ｆがロック舌部２０ａ、２１ａに加えられる。この力によって、ロック舌部２０ａ、２１ａは、歪んで撓む。ドアフレーム１２は、手で簡単に動かすことができ、底部の底壁１０に向かって単純に押し下げられる。ドアフレーム１２が、底壁１０の方へ十分に移動したとき、ロック舌部２０ａ、２１ａは、デタント２３、２４と（カラーの下で）整列し、ある意味、所定位置にスナップ係合し、ドアフレームのためのクイック解放部を構成する。そして、ロック舌部２０ａ、２１ａに作用する外力が消える。
ロック舌部２０ａ、２１ａは、デタント２３、２４の位置にあるとき、ロック位置にあって、歪んでいない。しかしながら、別例として、デタントのところでロック位置にあるロック舌部に力を作用させてもよい。その力は、フレーム１２が底壁１０に向かって移動する際にロック舌部に作用する力よりも小さな力である。
【００１５】
上記に従って、ドアフレーム１２が、底部の底壁１０に向かって移動させることで、底部に装着されているときに、第１の外力Ｆを受けて、歪み湾曲することとなるように、ロック舌部２０ａ、２１ａは配置される。それにより、ドアフレーム１２が底部に装着されたとき、ロック舌部２０ａ、２１ａは、デタント２３、２４の位置に来て、歪みは無くなる。
別例として、ロック舌部２０ａ、２１ａがデタント２３、２４の位置に来たときに、第１の力よりも小さい第２の力がロック舌部２０ａ、２１ａに作用する。その結果、ロック舌部の歪みおよび湾曲が、ドアフレームが底部の底壁に向かって移動している時におけるそれらよりも小さくなる。
【００１６】
ドアフレーム１２が底部１の上部に装着されたとき、ドアフレーム１２は、底部１のコーナ３０−３３において支持部材３４−３７上に位置し、下方から支持される（図３、図４参照）。図３、図４は、ドアフレーム１２の下端に対して支持点を与える支持部材３４の上端を示している。底部１の各コーナ３０−３３は、ドアフレーム１２を所望の高さで支持する支持部材３４−３７を備えている。
【００１７】
ドアフレーム１２が底部１の上部に装着されて、ドア１３が閉じられたとき、ドアフレーム１２と底部の側壁３−６の内面との間に小さな隙間が存在する。この小さな隙間は、ロック舌部によって構成されるクイック解放部を開けることを目的にロック舌部を撓ませることを意図したロック舌部２０ａ、２１ａへのアクセスを断つ（それをより良く理解するために、図２、図３を参照）。これに対応して、ドア１３の外側リムとドアフレーム１２の内側リムとの間に、小さな隙間が存在する。この隙間は、ロック舌部によって構成されるクイック解放部を開けることを目的にロック舌部を撓ませることを意図したロック舌部２０ａ、２１ａへのアクセスを断つ（図３参照）。
【００１８】
ドア１３は、ドアフレーム１２上のストッパ２７に対してドアを固定する閉止具１５を備える（図６参照）。閉止具１５は、キーを用いて施錠できるロックであることが有利である。また、クランプ要素２８は、ラッチであることが有利である。ストッパ２７は、ドアフレーム１２の下端から形成されている。別例として、クランプ要素２８は、底部１内に設けたストッパ（図示せず）に対してロックされるものであってもよい。
【００１９】
封止体の内部１１へのアクセスは、ドア１３を開けることによってのみ可能となる。ドアフレーム１２を底部１から取り外すことが望まれる場合、まず最初にドア１３を開けなければならない。その後、チゼル（chisel）タイプの工具（例えば、不図示のスクリュードライバー）を使用して外力を加えることで、ロック舌部２０ａ、２１ａの第１面を外側から押圧する。これにより、ロック端部（ロック舌部の先端）がデタント２３、２４から外れるのに十分なだけ、ロック舌部が湾曲する。ロック舌部２０ａ、２１ａのロック端部がデタント２３、２４から外れると、ロック舌部もデタントから外れる。ロック舌部２０ａ、２１ａが外れた位置にあるとき、ドアフレーム１２は底部１から離れ、底部１から上方へ持ち上げられる。
【００２０】
ドアフレーム１２は、プラスチック製であることが推奨される。それによって、ロック舌部２０ａ、２１ａをドアフレーム１２とワンピースのものとして、当該ドアフレーム１２上に形成することが可能となる。別例として、ドアフレーム１２は、金属製であってもよい。
【００２１】
封止体のカバー２は、ドアフレーム１２を覆う（図１参照）。カバー２と底部１の間に追加的にシールが存在する場合（図１において、破線で示されていて、フレーム１２を包囲するシール２９を参照）、ロック可能なドア１３を備え、その内部１１が追加的に湿気からも保護される封止体が実現できる。
【００２２】
以上において、好ましい１つの実施形態のみによって本発明を説明した。それ故、添付の特許請求の範囲内において、本発明の詳細は、多様な態様で実施可能である。したがって、例えば、クイック解放手段のデザイン、位置および数は、図示して説明したものに対して変更が可能である。凹部のデザイン、位置および数についても同じである。その内部にロック舌部がロックされるデタントは壁に成形され、および（または）凹部の端部は底部の側壁に形成される。
【図１】
0006322703.tif 000002
【図２】
0006322703.tif 000003
【図３】
0006322703.tif 000004
【図４】
0006322703.tif 000005
【図５】
0006322703.tif 000006
【図６】
0006322703.tif 000007